(57)【要約】【課題】コネクトリングに負荷される応力を均一にし、桁網のコネクトリング全体が均一に摩耗するようにして、桁網の長寿命化を図ることを目的とし、さらに網目の組み方をかえることによって桁網の長寿命化を図ることを目的とする。【解決手段】本発明は、曳網方向に対して最前列に並置された複数の本体リング１と２列目以降に並置された複数の本体リング１とが縦横に互い違いに配列されており、コネクトリング２が曳網方向に対して直交せず傾斜方向に向って前後列の本体リング１同士が連結されている底曳漁業用網である。また前記コネクトリング２は、曳網方向に対して２０〜４５度傾斜していることが好ましい。【選択図】  図１
2007174906.tif 000002
【特許請求の範囲】
【請求項１】
所定間隔で並置する複数の本体リングと、該本体リング同士を連結するコネクトリングとからなる底曳漁業用網において、曳網方向に対して最前列に並置する複数の本体リングと２列目以降に並置された複数の本体リングとが互い違いに配列されており、当該コネクトリングが曳網方向に対して直交せず傾斜方向に向って前後列の本体リング同士が連結されていることを特徴とする底曳漁業用網。
【請求項２】
底曳漁業用網の角部を形成する角部本体リングからは一体のコネクトリングが連設し、角部本体リング以外であって底曳漁業用網の外周部を形成する端部本体リングからは二体のコネクトリングが連設することを特徴とする請求項１記載の底曳漁業用網。
【請求項３】
前記コネクトリングが、曳網方向に対して２０〜４５度傾斜していることを特徴とする請求項１又は２に記載の記載の底曳漁業用網。
【請求項４】
前記底曳漁業用網が、底面網（沈子網）と、側面網（袖網）と、上面網とを有し、曳網方向が開口部となる袋状に形成されていることを特徴とする請求項１〜３のいずれか一に記載の底曳漁業用網。
【請求項５】
少なくとも底側に複数の爪が固着された桁枠を有する底曳漁業用桁網において、該桁枠の網口に請求項４に記載の底曳漁業用網が係着されていることを特徴とする底曳漁業用桁網。
【発明の詳細な説明】
【技術分野】
【０００１】
本発明は、底曳漁業に用いられる漁業用網に係り、曳網時に漁業用網が水底の岩などに擦れることにより生ずる応力を軽減し、桁網の摩耗を抑制するようにした底曳漁業用網及び底曳漁業用桁網に関する。
【背景技術】
【０００２】
現在、海底に生息する貝類、カニ、エビ、カレイ類を漁獲する漁法として底曳網漁業が知られている。底曳網漁業に使用される底曳網としては、上面網、底面網（沈子網）及び側面網（袖網）からなる袋状のものを曳綱で曳くものが知られている。
例えば、特許文献１及び特許文献２に示されるように、地まき養成で育ったホタテガイを漁獲するには、「八尺」と呼ばれる桁網が用いられるのが一般的である。図５は、かかる「八尺」の一例を示す斜視図である。図５に示すように、袋状の漁業用網４０の網口４５が木または鉄などの桁枠４１に固定され、桁枠４１の底側からは鉄製の爪４２が複数下方に向って配置されている。かかる「八尺」は、曳綱５１を介して図示しない漁船に連結され、漁船を航行させることによって引きずられることになる。「八尺」は、海底内にいるホタテガイ等を複数の爪４２によって掘り起こし、網口４５を通して袋状の漁業用網４０内に漁獲する。
【０００３】
漁船によって海底を引きずられる「八尺」は、貝だけでなく海底の砂利を掘り起こし、また岩石等に引っ掛かることがある。このような衝撃によって、爪４２や漁業用網４０は経時的に摩耗することになる。そこで「八尺」に使用される爪４２や漁業用網４０は、耐摩耗性に優れ、長寿命のものが開発されている。例えば、爪４２の耐摩耗性を向上する技術としては、特許文献３に開示されている。
また漁業用網４０は、図５に示すように上面網４６、底面網（沈子網）４７及び側面網（袖網）４８とから構成されている。漁業用網４０の摩耗は、海底に接する桁網（沈子網）４７において顕著である。
【０００４】
図６は、底曳網漁業に使用されている従来の桁網を示す概略平面図である。図６に示すように、従来の桁網において本体リング５０は縦横に整然と並置され、それを径の小さな縦コネクトリング５１ａと、横コネクトリング５１ｂとで相互に連結する構造が採用されている。この構造では、漁船によって桁網を引きずる場合に、図の矢印における曳網方向に対して平行な縦コネクトリング５１ａは水底に接触して回動する。縦コネクトリング５１ａは、かかる回動作用により均一に摩耗することになる。しかし、曳網方向に直角な横コネクトリング５１ｂは、桁網を引きずる際の抵抗部材となり、また回転しないことから横コネクトリング５１ｂの一部分のみが摩耗することになる。そして本発明者は、コネクトリング５１の方が本体リングより海底に接しやすいため、桁網の中ではコネクトリング５１ｂが最も摩耗しやすいことを見出した。
【０００５】
ここでコネクトリングとしては、耐摩耗性に優れたスプリングワッシャや鍛造リングを用いる方法が知られている。スプリングワッシャーを使用している場合は、コネクトリング５１ｂの摩耗時にスプリングワッシャーを追加したり、交換することによって本体リングが摩耗するまで桁網の使用を継続することができる。また、鍛造リングを用いる場合には、鍛造リングの線径を太くして焼き入れし、高硬度にすることによって摩耗を抑制している。
また桁網の曳網方向に対して直角方向の横コネクトリング５１ｂが摩耗すると、桁網を組み直し、網の曳網方向を９０度傾けて係着して使用する方法も採用されている。
【特許文献１】実開昭６２−１１６６７５号公報
【特許文献２】実公平７−３３６５４号公報
【特許文献３】特開平９−３０８４１０号公報
【発明の開示】
【発明が解決しようとする課題】
【０００６】
本発明は、桁網の曳網方向に対して傾斜するような位置にコネクトリングを配置して、コネクトリングに負荷される応力を均一にし、桁網のコネクトリング全体が均一に摩耗するようにして、桁網の長寿命化を図ることを目的とする。
さらにコネクトリングの傾斜角度を２０度に近づけることにより曳網の際にコネクトリングを回転可能にし均一な摩耗とすることを目的とする。
【課題を解決するための手段】
【０００７】
上記課題を解決するために、本発明は以下の構成を採用した。
（１）本発明は、所定間隔で並置された複数の本体リングと、該本体リング同士を連結するコネクトリングとからなる底曳漁業用網において、曳網方向に対して最前列に並置された複数の本体リングと２列目以降に並置された複数の本体リングとが互い違いに配列されており、当該コネクトリングが曳網方向に対して直交せず傾斜方向に向って前後列の本体リング同士が連結されている底曳漁業用網である。
（２）本発明は、底曳漁業用網の角部を形成する角部本体リングからは一体のコネクトリングが連設し、角部本体リング以外であって底曳漁業用網の外周部を形成する端部本体リングからは二体のコネクトリングが連設する上記（１）記載の底曳漁業用網である。
【０００８】
（３）本発明は、前記コネクトリングが、曳網方向に対して２０〜４５度傾斜している上記（１）又は（２）に記載の記載の底曳漁業用網である。
傾斜角度を２０度に近づけることによりコネクトリングを回転可能にして均一に摩耗させることができる。２０度未満では前後列の間隔が長くなってしまい、網目の間隔が広くなり魚介類を漁獲できない場合があるからである。４５度に近づけることにより網目をつめることができ、単位面積当りの本体リングの数を増加させるか、一定寸法の網における網目が密になる。傾斜角度が４５度を超えるとコネクトリングが桁網を引きずる際の抵抗部材となる可能性がある。
（４）本発明は、前記底曳漁業用網が、底面網（沈子網）と、側面網（袖網）と、上面網とを有し、曳網方向が開口部となる袋状に形成されていることを特徴とする上記（１）〜（３）のいずれか一に記載の底曳漁業用網である。
（５）本発明は、少なくとも底側に複数の爪が固着された桁枠を有する底曳漁業用桁網において、該桁枠の網口に上記（４）に記載の底曳漁業用網が係着されている底曳漁業用桁網である。
【発明の効果】
【０００９】
桁網の曳網方向に対して傾斜するような位置にコネクトリングを配置して、コネクトリングに負荷される応力を均一にすることにより、桁網のコネクトリング全体が均一に摩耗するようにして、桁網の長寿命化という効果を奏する。
さらにコネクトリングの傾斜角度を２０度に近づけることによりコネクトリングを回転可能にして均一に摩耗させることにより、結果的に桁網の長寿命化を図るという効果を奏する。
【発明を実施するための最良の形態】
【００１０】
以下、図面に則して本発明に係る底曳漁業用網を説明する。ただし、下記に記載された実施形態は例示であって発明思想として同一のものは全て本発明の範囲に属する。
（実施形態１）
図１は、本発明に係る底曳漁業用網の連結構造を説明するための部分斜視図である。図
１に示すように、本発明に係る底曳漁業用網は、本体リング１とコネクトリング２とから構成されている。なお図１は、本発明の連結構造を説明するために簡略化された概念図であり、実際の底曳漁業用網は本連結構造が多数連設されたものである。
【００１１】
曳網方向に向って前列にある本体リング１と、その後列に位置する本体リング１とは、図１に示す如く互い違いに配列されている。そして前後列の本体リング同士はコネクトリング２によって連結されている。かかるコネクトリング２は、曳網方向に対して直交せず傾斜方向に向って前後列の本体リングと連結するように形成されている。
ここで、前記コネクトリング２は、曳網方向に対して２０〜４５度傾斜していることが好ましい。２０度未満では前後列の間隔が長くなってしまい、網目の間隔が広くなり魚介類を漁獲できない場合があるからである。４５度を超えるとコネクトリング２が桁網を引きずる際の抵抗部材となるおそれがある。
【００１２】
（実施形態２）
図２は、本発明に係る底曳漁業用網の他の連結構造を説明するための部分平面図である。図２に示すように、本発明に係る底曳漁業用網は、本体リング５とコネクトリング６とから構成されている。なお図２は、本発明の連結構造を説明するために簡略化された平面図であり、実際の底曳漁業用網は本連結構造が多数連設されたものである。
曳網方向に向って前列にある一体の本体リング５と、その後列に位置する二体の本体リング５，５とは、図２に示す如く互い違いに配列されている。そして前後列の本体リング５同士はコネクトリング６によって連結されている。かかるコネクトリング６は、曳網方向に対して直交せず傾斜方向に向って前後列の本体リング５と連結するように形成されている。
ここで、前記コネクトリング６の曳網方向に対する傾斜角度α，α’は２０〜４５度である。２０度未満では前後列の間隔が長くなってしまい、網目の間隔が広くなる箇所が生じてしまい魚介類を漁獲できない可能性があるからである。４５度を超えると曳網方向に対してコネクトリングの抵抗が大きくなりすぎるためである。
【００１３】
（実施形態３）
図３は、本発明に係る底曳漁業用網の一例を示す平面図である。図３に示すように本発明に係る底曳漁業用網は、本体リングとコネクトリング１２とから構成されている。さらに本体リングは、網の角に位置する４体の角部本体リング１０と、角部本体リング１０以外であって網の外周部を形成する多数の端部本体リング１１とから構成されている。角部本体リング１０からは一体のコネクトリング１２が隣接する本体リング１０に連設している。また、複数の端部本体リング１１からは夫々二体のコネクトリング１２が隣接する本体リングに連設している。ここで、前記コネクトリング１２は、曳網方向に対して２０度〜４５度の範囲で傾斜している。コネクトリング１２の曳網方向に対する傾斜角度を２０度に近づけることにより前後の本体リングを近接し網目を拡げることができるため、網の経時劣化に対する耐摩耗性を向上することができる。
【００１４】
図４は、図３におけるIII−III矢視断面図である。１１は本体リングであり、１２はコネクトリングの断面を示す。
本実施形態２に係る底曳漁業用網に用いられる、本体リングの内径はφ９０〜１００ｍｍである。線径はφ５〜６．５ｍｍである。コネクトリング１２の形状を円形状とすることにより、コネクトリングの外周部が海底等に接触した際に自由に回動することになる。このような回動作用によりコネクトリングの摩耗が抑制され結果的に長寿命となる。
【００１５】
（実施形態４）
図５は、本発明に係る底曳漁業用桁網の一例を示す断面図である。本実施形態４に係る底曳漁業用桁網は、主にホタテガイを漁獲するために使用される。
図５に示すように、本発明に係る底曳漁業用桁網３０は、底曳漁業用網４０と、底側に成形された爪４２を有する桁枠４１と、引手部５０と、引手部５０に巻き付けられた曳綱５１とから構成されている。
ここで底曳漁業用網４０は、曳網方向に対して最前列に並置された複数の本体リングと２列目以降に並置された複数の本体リングとが互い違いに配列されており、当該コネクトリングが曳網方向に対して直交せず傾斜方向に向って前後列の本体リング同士が連結されて形成されている。好ましくは、底曳漁業用網の角部を形成する角部本体リングからは一体のコネクトリングが連設し、角部本体リング以外であって底曳漁業用網の外周部を形成する端部本体リングからは二体のコネクトリングが連設している。さらに好ましくは、前記コネクトリングが、曳網方向に対して２０〜４５度傾斜している。
上記の構造を有する底曳漁業用網４０は、さらに底面網（沈子網）４７と、側面網（袖網）４８と、上面網４６とを有し、曳網方向が開口部となる袋状に形成されている。
本実施形態４に係る底曳漁業用桁網３０を曳網４３を介して漁船に連結し、漁船を航行させることによって底曳漁業用桁網３０を引きずることになる。本発明に係る底曳漁業用桁網３０は、海底内にいるホタテガイを複数の爪４２によって掘り起こし網口４５を通して袋状の底曳漁業用網４０内に漁獲する。
【図面の簡単な説明】
【００１６】
【図１】本発明に係る底曳漁業用網の連結構造を説明するための部分斜視図である。
【図２】本発明に係る底曳漁業用網の他の連結構造を説明するための部分平面図である。
【図３】本発明に係る底曳漁業用網の一例を示す平面図である。
【図４】図２におけるIII−III矢視断面図である。
【図５】本発明に係る底曳漁業用桁網の一例を示す斜視図である。
【図６】底曳網漁業に使用されている従来の桁網を示す概略平面図である。
【符号の説明】
【００１７】
１，５  本体リング
２，６，１２  コネクトリング
１０  角部本体リング
１１  端部本体リング
３０  底曳漁業用桁網
４０  底曳漁業用網
４１  桁枠
４６  上面網
４７  底面網（沈子網）
４８  側面網（袖網）
【図１】
2007174906.tif 000003
【図２】
2007174906.tif 000004
【図３】
2007174906.tif 000005
【図４】
2007174906.tif 000006
【図５】
2007174906.tif 000007
【図６】
2007174906.tif 000008